(57)【要約】【課題】    容易かつ短時間で釘角度の測定を行うことができるパチンコ釘角度測定ゲージを提供する。【解決手段】パチンコ台の盤面に対する釘の角度を測定するパチンコ釘角度測定ゲージであって、板状部材の外縁から連続して内方に向かって切り欠かれた切り欠き部と、切り欠き部の一方側の該外縁の少なくとも一部によって形成され盤面に当接する第１の当接点を含む第１盤面当接部と、切り欠き部の他方側の該外縁の少なくとも一部によって形成され盤面に当接する第２の当接点を含む第２盤面当接部と、を備えてなり、第１盤面当接部と第２盤面当接部とを盤面に当接させた際、盤面から突出した釘の軸部が当接可能な軸部当接面であって、第１の当接点と第２の当接点とを結ぶ線分を含む基準直線に対して所定の角度をなす軸部当接面を切り欠き部が有するものである、パチンコ釘角度測定ゲージである。【選択図】  図１
2007215876.tif 000002
【特許請求の範囲】
【請求項１】
パチンコ台の盤面に対する釘の角度を測定するパチンコ釘角度測定ゲージであって、
板状部材の外縁から連続して内方に向かって切り欠かれた切り欠き部と、
切り欠き部の一方側の該外縁の少なくとも一部によって形成され盤面に当接する第１の当接点を含む第１盤面当接部と、
切り欠き部の他方側の該外縁の少なくとも一部によって形成され盤面に当接する第２の当接点を含む第２盤面当接部と、
を備えてなり、
第１盤面当接部と第２盤面当接部とを盤面に当接させた際、盤面から突出した釘の軸部が当接可能な軸部当接面であって、第１の当接点と第２の当接点とを結ぶ線分を含む基準直線に対して所定の角度をなす軸部当接面を切り欠き部が有するものである、パチンコ釘角度測定ゲージ。
【請求項２】
第１盤面当接部と第２盤面当接部とを盤面に当接させ、釘の軸部を軸部当接面に当接させた際、釘の頭部を収容する頭部収容部を切り欠き部が有するものである、請求項１に記載のパチンコ釘角度測定ゲージ。
【請求項３】
前記基準直線に垂直な平面により２に分割される両空間それぞれに軸部当接面が形成されるものである、請求項１又は２に記載のパチンコ釘角度測定ゲージ。
【請求項４】
前記板状部材が、長手方向を有する略短冊形状であり、
切り欠き部と第１盤面当接部と第２盤面当接部とが該長手方向の先端側に形成されると共に、測定者が手で把持する把持部が該長手方向の基端側に形成され、
切り欠き部が形成された部分の幅が、把持部の幅よりも小さいものである、請求項１乃至３のいずれか１に記載のパチンコ釘角度測定ゲージ。
【請求項５】
切り欠き部が形成された部分の幅が、把持部の幅よりも小さくなるように、前記先端側に位置する前記長手方向に沿った外縁が切り取られたものである、請求項４に記載のパチンコ釘角度測定ゲージ。
【請求項６】
前記所定の角度が表示されたものである、請求項１乃至５のいずれか１に記載のパチンコ釘角度測定ゲージ。
【請求項７】
請求項１乃至６のいずれか１に記載の複数のパチンコ釘角度測定ゲージが重合されてなり、
複数のパチンコ釘角度測定ゲージ各々の前記所定の角度がそれぞれ異なるものである、パチンコ釘角度測定ゲージ組。
【請求項８】
重合された複数のパチンコ釘角度測定ゲージが、所定の回動軸を中心に互いに回動可能なものである、請求項７に記載のパチンコ釘角度測定ゲージ組。
【発明の詳細な説明】
【技術分野】
【０００１】
本発明は、パチンコ釘角度測定ゲージに関し、より詳細には、パチンコ台の盤面に対する釘（先端がパチンコ台の盤面に打ち込まれることで固定される。）の角度を測定するパチンコ釘角度測定ゲージに関する。
【背景技術】
【０００２】
パチンコは、盤面に多数の釘等の障害物を配設し、鋼製の玉（パチンコ玉）をはじいて盤面に存する穴に入れる射倖遊戯であり、所定の穴に玉が入ると多くの玉が出るように構成されており、得た玉を賞品に交換することができるものである。
ここに先端がパチンコ台の盤面に打ち込まれて固定された釘は、パチンコ玉をはじいたり案内するものであることから、パチンコ台の盤面に対する釘の角度は、前記所定の穴に玉が入る確率に大きな影響を与える（即ち、出玉を左右する）ことから、パチンコ店の経営に重大な影響を与えるものである。
このためパチンコ店では、パチンコ台の盤面に対する釘の角度を調整し、出玉率等を管理してパチンコ店を運営している。
【０００３】
かかるパチンコ台の盤面に対する釘の角度は、極めて僅かな調整（例えば、１度刻み）が要求される困難なものであり、一般的には釘師等と呼ばれる専門の熟達者によって調整がなされてきた。しかしながら、最近ではパチンコ店やパチンコ台に比して、釘師等と呼ばれる専門の熟達者が不足していることから、釘の角度調整を容易ならしめる器具も提供されつつある（例えば、特許文献１）。
特許文献１には、「板体を扇形状に形成し、円形周面２に分度目盛３を表示した分度盤１には、円形周面２とは対称位置において中心目盛９０°からの延長線とは直交する方向にパチンコ機の盤面６に押し当て可能な当接面４を形成し、円形周面２と当接面４間は釘７の長さよりも短く形成するとともに当接面４に面して目盛９０°からの延長線上に基点５を表示したことを特徴とするパチンコ釘角度測定ゲージ」（特許文献１中の請求項１）が開示されており、このパチンコ釘角度測定ゲージによれば「全体形状を扇形とした分度盤１は板体で形成されているので、釘と釘や釘と役物等の狭い空間に入れて特定の釘角度の測定が可能である。分度盤１の円形周面２と当接面４間は釘７の長さよりも短くなっているので、分度盤１の測定面と釘７の側面とを平行にすることができ、釘７の頭部８が邪魔にならず、角度測定の精度を高めることができる。しかも、単体で片手で持ちやすく、測定操作がし易いので、角度測定を効率よく行うことが可能である。更に、熟練を要することなく釘角度の調整を行うことができ、入賞率や出玉率を制御することができる。」（特許文献１中の発明の詳細な説明の段落番号００１０）という効果を奏するものである。
【０００４】
【特許文献１】特開２００５−６８６号公報（例えば、特許請求の範囲の請求項１、発明の詳細な説明の段落番号０００９〜００１０、第１図等）
【発明の開示】
【発明が解決しようとする課題】
【０００５】
特許文献１に開示されたパチンコ釘角度測定ゲージは、円形周面２に分度目盛３を表示した分度盤１により釘角度の測定を行うので、連続的かつ広範に角度測定を行うことができる。
しかしながら、分度盤１は、円形周面２に目視可能に分度目盛３を設けており、それを用いて釘角度の測定を行うには「図２に示すように、パチンコ機の盤面６に打ち込んである釘７の垂直（上下）方向の傾斜角度を測定するには、測定すべき釘７の側面に接して分度盤１を垂直に立て、当接面４を盤面６に押し当てる。この時、釘７の頭部８は、分度盤１の円形周面２よりも外側に位置し、この状態で釘７の打ち込み基部と前記基点５を合わせることで盤面６に対する釘７の傾斜角度を測定」（特許文献１中の発明の詳細な説明の段落番号００１３）するものであり、細かい分度目盛３のどこに釘が位置するかを目視にて読みとる必要があり、釘角度の測定が難しかったり、長い時間がかかったり、作業が難儀なものになることがあった。
そこで、本発明においては、容易かつ短時間で釘角度の測定を行うことができるパチンコ釘角度測定ゲージを提供することを目的とする。
【課題を解決するための手段】
【０００６】
本発明のパチンコ釘角度測定ゲージ（以下、「本ゲージ」という。）は、パチンコ台の盤面に対する釘の角度を測定するパチンコ釘角度測定ゲージであって、板状部材の外縁から連続して内方に向かって切り欠かれた切り欠き部と、切り欠き部の一方側の該外縁の少なくとも一部によって形成され盤面に当接する第１の当接点を含む第１盤面当接部と、切り欠き部の他方側の該外縁の少なくとも一部によって形成され盤面に当接する第２の当接点を含む第２盤面当接部と、を備えてなり、第１盤面当接部と第２盤面当接部とを盤面に当接させた際、盤面から突出した釘の軸部が当接可能な軸部当接面であって、第１の当接点と第２の当接点とを結ぶ線分を含む基準直線に対して所定の角度をなす軸部当接面を切り欠き部が有するものである、パチンコ釘角度測定ゲージである。
【０００７】
本ゲージは、パチンコ台の盤面に対する釘の角度を測定するパチンコ釘角度測定ゲージである。
本ゲージは、板状部材により形成されるものであり、該板状部材は切り欠き部と第１盤面当接部と第２盤面当接部とを備えている。切り欠き部は、該板状部材の外縁（該板状部材の両主表面間に形成された縁）から連続して内方に向かって切り欠かれて形成されている（即ち、切り欠き部は該板状部材の外縁から入り江状に形成されており、該板状部材の一主表面側から他主表面側へ釘を通過させることができる。）。第１盤面当接部は、切り欠き部の一方側の該外縁（該板状部材の該外縁は、入り江状に形成された切り欠き部により両側に分断されるが、その分断された一方側）の少なくとも一部によって形成される。そして、第１盤面当接部は、パチンコ台の盤面に当接する第１の当接点を含む。同様に、第２盤面当接部は、切り欠き部の他方側の該外縁（該板状部材の該外縁は、入り江状に形成された切り欠き部により両側に分断されるが、その分断された他方側（該一方側とは反対側））の少なくとも一部によって形成される。そして、第２盤面当接部は、パチンコ台の盤面に当接する第２の当接点を含む。
そして、第１盤面当接部（第１の当接点）と第２盤面当接部（第２の当接点）とをパチンコ台の盤面に当接させた際、パチンコ台の盤面から突出した釘の軸部が当接可能な軸部当接面を切り欠き部が有する。釘は、一端（先端）がパチンコ台の盤面に打ち込まれることで固定されており、他端（基端）にはかさ状の頭部を通常有しているが、この頭部を除く該一端（先端）から頭部に至るまでの部分を軸部という。第１盤面当接部（第１の当接点）と第２盤面当接部（第２の当接点）とをパチンコ台の盤面に当接させ、パチンコ台の盤面から突出した釘の軸部を切り欠き部に嵌入し、切り欠き部の軸部当接面を釘の軸部に当接させる。このとき第１盤面当接部の第１の当接点と第２盤面当接部の第２の当接点とを結ぶ線分（第１の当接点と第２の当接点とはパチンコ台の盤面に当接しているので該線分はパチンコ台の盤面に略平行（盤面に含まれる場合を含む）になる。）を含む基準直線（該線分と同様、基準直線も盤面に略平行（盤面に含まれる場合を含む）になる。）に対し、軸部当接面（釘の軸部が当接する）は所定の角度をなすので、基準直線（盤面に略平行（盤面に含まれる場合を含む））に対する該所定の角度と軸部の角度（釘の角度）とを比べることができる。基準直線はパチンコ台の盤面に略平行（盤面に含まれる場合を含む）であるので、パチンコ台の盤面に対する釘の軸部の角度（釘の角度）が該所定の角度に比べ大きいか小さいか等しいかを知ることができる。このため本ゲージを用いることで、第１盤面当接部（第１の当接点）と第２盤面当接部（第２の当接点）とをパチンコ台の盤面に当接させ、釘の軸部を軸部当接面に当接させるという簡単な作業により、パチンコ台の盤面に対する釘の軸部の角度（釘の角度）を該所定の角度と比べ、容易かつ短時間で釘の角度の測定を行うことができる（例えば、釘の角度を該所定の角度に等しくするよう調整することも簡単に行うことができる。）。
なお、本ゲージにおいては、釘の軸部が当接する軸部当接面を有する切り欠き部の一方側で第１盤面当接部（第１の当接点）がパチンコ台の盤面に当接し、かつ切り欠き部の他方側で第２盤面当接部（第２の当接点）がパチンコ台の盤面に当接するので（軸部当接面が第１の当接点と第２の当接点とにより挟まれる）、パチンコ台の盤面に対し軸部当接面を該所定の角度に正確に配置することができ、パチンコ台の盤面に対する釘の角度を正確に測定することができる。
【０００８】
第１盤面当接部と第２盤面当接部とを盤面に当接させ、釘の軸部を軸部当接面に当接させた際、釘の頭部を収容する頭部収容部を切り欠き部が有するものであってもよい。
上述のように、釘は、一端（先端）がパチンコ台の盤面に打ち込まれることで固定され、他端（基端）にはかさ状の頭部を通常有している。このかさ状の頭部は、該一端（先端）と該他端（基端）とを結ぶ直線から横方向（垂直方向）に突出するような形状を通常有している。このため釘の軸部を切り欠き部の軸部当接面に当接させる際、横方向に突出するかさ状の頭部が邪魔をして軸部を軸部当接面にうまく当接させることができない場合も生じうる。かかる問題を防止又は減少させるため、横方向に突出するかさ状の頭部を収容（例えば、遊嵌）する頭部収容部を切り欠き部が有するようにしてもよい。
【０００９】
前記基準直線に垂直な平面により２に分割される両空間それぞれに軸部当接面が形成されるものであってもよい。
切り欠き部が有する軸部当接面は、１のみでもよいが、基準直線に垂直な平面により２に分割される両空間それぞれに軸部当接面を有するようにすれば（即ち、一対の軸部当接面）、いずれの軸部当接面を用いてもパチンコ台の盤面に対する釘の角度を測定することができ便利である。
【００１０】
前記板状部材が、長手方向を有する略短冊形状であり、切り欠き部と第１盤面当接部と第２盤面当接部とが該長手方向の先端側に形成されると共に、測定者が手で把持する把持部が該長手方向の基端側に形成され、切り欠き部が形成された部分の幅が、把持部の幅よりも小さいもの（以下、「幅変化本ゲージ」という。）であってもよい。
パチンコ台の盤面や釘に当接させる部分はできる限り小さい方が、狭い空間に存する釘（例えば、該釘の近傍に他のもの（他の釘やパチンコ玉を案内するいわゆる風車等）が存在するような場合）の角度を測定する場合に便利である。このため前記板状部材の主表面が略長方形等のように長手方向を有する略短冊形状である場合には、切り欠き部と第１盤面当接部と第２盤面当接部とが該長手方向の先端側に形成されると共に、測定者が手で把持する把持部が該長手方向の基端側に形成されるようにしてもよく、さらに切り欠き部が形成された部分の幅（前記板状部材の主表面の寸法であって、該長手方向とは垂直で該主表面と平行な方向の寸法をいう。）が、把持部の幅よりも小さくすれば、幅広の把持部により測定者が手で把持しやすく、切り欠き部が形成された幅が小さい部分により狭い空間に存する釘の角度測定をうまく行うことができる。
【００１１】
幅変化本ゲージの場合、切り欠き部が形成された部分の幅が、把持部の幅よりも小さくなるように、前記先端側（切り欠き部と第１盤面当接部と第２盤面当接部とが形成された側）に位置する前記長手方向に沿った外縁が切り取られたものであってもよい。
こうすることで前記先端側に位置する前記長手方向に沿った外縁が切り取られるという簡単な構成により、切り欠き部が形成された部分の幅を把持部の幅よりも小さくなるようにすることができる。
【００１２】
前記所定の角度が表示されたものであってもよい。
パチンコ台の盤面に対する釘の好ましい角度は、該パチンコ台の種類や釘の位置等に応じて変化しうるし、一つのパチンコ台の中の同じ釘であっても出玉率の変更等により変化する。このため本ゲージは釘の所望の角度に応じたものを用いる必要があり、このため基準直線に対する軸部当接面の前記所定の角度を本ゲージに表示しておくようにしてもよい（こうすれば本ゲージに表示された前記所定の角度を確認して所望の本ゲージを選択することができる。）。
なお、ここにいう「前記所定の角度の表示」とは、前記所定の角度が本ゲージの使用者に直接又は間接に認識できるものであれば足り、前記所定の角度をそのまま数字により表示（例えば、印刷、刻印等）したり、前記所定の角度に関連する数字（例えば、直角を示す９０度から前記所定の角度を減じた数字等）を表示（例えば、印刷、刻印等）したり、前記所定の角度やそれに関連する数字を表すために予め定められた記号（該記号を使用者が見れば前記所定の角度を直接又は間接に認識しうるもの）を表示（例えば、印刷、刻印等）してもよい。
【００１３】
上述したように、本ゲージは、釘の所望の角度に応じたものを用いる必要があり、さらに該所望の角度は変わりうる。このため変化しうる該所望の角度に対応可能なように、変化しうる該所望の角度に応じた複数の本ゲージをパチンコ釘角度測定ゲージ組としてもよい。
かかるパチンコ釘角度測定ゲージ組（以下、「本ゲージ組」という。）は、複数の本ゲージが重合されてなり、複数の本ゲージ各々の前記所定の角度がそれぞれ異なるものである、パチンコ釘角度測定ゲージ組である。
本ゲージは板状部材により形成されるので、複数の本ゲージは容易に重合（本ゲージを形成する板状部材の主表面が互いに面するように重ね合わされる。）される（重合されることで複数の本ゲージがかさばらない。）。そして、本ゲージ組は、前記変化しうる該所望の角度に応じた複数の本ゲージを含むようにしておけば、本ゲージ組から適切な本ゲージを選択して使用することで、変化しうる該所望の角度にうまく対応することができる。
【００１４】
本ゲージ組は、重合された複数の本ゲージが、所定の回動軸を中心に互いに回動可能なものであってもよい。
こうすれば該所定の回動軸を中心に互いに回動させて、本ゲージ組に含まれる複数の本ゲージから所望の本ゲージを使用することができ便利である（例えば、本ゲージ組に含まれる複数の本ゲージ全ての形状をほぼ同じものとしておき、複数の本ゲージを重合させれば非常にコンパクトに本ゲージ組を構成することができる。そして使用に際し、使用する本ゲージを該所定の回動軸を中心に回動させて使用し、使用後は該使用した本ゲージを該所定の回動軸を中心に回動させ、全ての本ゲージを再び重合させるようにしてもよい。）。
なお、本ゲージ組において、重合された複数の本ゲージが所定の回動軸を中心に互いに回動可能にするには様々な方法があり何ら制限されるものではないが、一例としては、重合された複数の本ゲージにボルトを貫通させるボルト穴を穿設し、該ボルト穴にボルトを嵌入しナットを螺合させるようにしてもよい。
【発明を実施するための最良の形態】
【００１５】
以下、本発明の実施の形態を図面を参照して説明する。しかしながら、これらによって本発明は何ら制限されるものではない。
【００１６】
図１は、本発明のパチンコ釘角度測定ゲージ（本ゲージ）１１を示す正面図であり、図２は図１の円Ａ中の拡大図であり、図３は本ゲージ１１の底面図（図２中、矢印Ｂ方向から見たところを示している。）であり、図４は図２のＣ−Ｃ断面図である。図１乃至図４を参照して、本ゲージ１１について説明する。
本ゲージ１１は、ステンレス鋼により形成された板状部材（例えば、２ｍｍ程度の厚みのステンレス鋼板）により一体に構成されており、長手方向（図１中、矢印Ｌにて示した。）に沿った略短冊形状をしている。詳細には、長手方向（図中、矢印Ｌ）に沿った細長い長方形（該長方形の長辺は長手方向（図中、矢印Ｌ）に一致する。）の主表面を有するステンレス鋼板を、長手方向（矢印Ｌ）の基端側Ｌ１の端部を丸めると共にボルト穴１１ｈを穿設し、長手方向（矢印Ｌ）の先端側Ｌ２の端部に後述する切り欠き部２１、第１盤面当接面１１ｐ１及び第２盤面当接面１１ｐ２等を形成したものである。このように本ゲージ１１は、板状部材（ステンレス鋼板）により構成されており、該板状部材は両主表面１１ａ、１１ｃ（両主表面１１ａ、１１ｃは互いに略平行である。）と、両主表面１１ａ、１１ｃ間に形成された外縁１１ｂ（外縁１１ｂは両主表面１１ａ、１１ｃに対して略垂直である。）と、を有している。
【００１７】
長手方向（矢印Ｌ）の先端側Ｌ２の端部には、切り欠き部２１が形成されている。切り欠き部２１は、本ゲージ１１を構成する板状部材の外縁１１ｂから連続して内方に向かって切り欠かれて入り江状に形成されている。切り欠き部２１は、釘の軸部（図示せず）を収容する軸部収容部２５と、釘の頭部（図示せず）を収容する頭部収容部２３と、を有してなる。切り欠き部２１は、軸部収容部２５を規定する第１軸部面２５ａ（軸部当接面を構成する）、軸部収容部２５を規定する第２軸部面２５ｂ（軸部当接面を構成する）、頭部収容部２３を規定する第１頭部面２３ａ、頭部収容部２３を規定する第２頭部面２３ｂ、頭部収容部２３を規定する第３頭部面２３ｃ、頭部収容部２３を規定する第４頭部面２３ｄ及び頭部収容部２３を規定する第５頭部面２３ｅにより規定されており、これら第１軸部面２５ａ、第２軸部面２５ｂ、第１頭部面２３ａ、第２頭部面２３ｂ、第３頭部面２３ｃ、第４頭部面２３ｄ及び第５頭部面２３ｅのいずれも両主表面１１ａ、１１ｃに垂直な平面に略沿って形成されている。さらに、軸部当接面を構成する第１軸部面２５ａ及び第２軸部面２５ｂは長手方向（矢印Ｌ）に対し予め定められた角度をなすよう形成されており（後で詳述する）、第１頭部面２３ａ、第３頭部面２３ｃ及び第５頭部面２３ｅは長手方向（矢印Ｌ）に対し略垂直になるよう、そして第２頭部面２３ｂ及び第４頭部面２３ｄは長手方向（矢印Ｌ）に対し略平行になるよう形成されている。
【００１８】
そして、外縁１１ｂのうち長手方向（矢印Ｌ）の先端側Ｌ２の端部には、第１盤面当接面１１ｐ１（第１盤面当接部を構成する。）及び第２盤面当接面１１ｐ２（第２盤面当接部を構成する。）が形成されている。第１盤面当接面１１ｐ１及び第２盤面当接面１１ｐ２のいずれも、両主表面１１ａ、１１ｃに対し略垂直かつ長手方向（矢印Ｌ）に対し略垂直な平面に沿って形成されている。また、第１盤面当接面１１ｐ１と第２盤面当接面１１ｐ２とは、同一の一平面にほぼ属するよう構成されているので、第１盤面当接面１１ｐ１と第２盤面当接面１１ｐ２との両面１１ｐ１、１１ｐ２を平らなパチンコ台の盤面（図示せず）に同時にうまく当接させることができる。
また、第１盤面当接面１１ｐ１は、切り欠き部２１の一方側（ここでは長手方向（矢印Ｌ）に対し垂直かつ両主表面１１ａ、１１ｃに対し略平行な両方向（図中、矢印Ｇ１と矢印Ｇ２にて示した）のうち一方向（図中、矢印Ｇ１））の外縁１１ｂの一部によって形成されている。そして、第１盤面当接面１１ｐ１は、第１盤面当接面１１ｐ１が構成する平面に属する点を含み、これら平面に属する各点は本発明にいう第１の当接点（パチンコ台の盤面（図示せず）に当接する）を構成する。
同様に、第２盤面当接面１１ｐ２は、切り欠き部２１の他方側（ここでは長手方向（矢印Ｌ）に対し垂直かつ両主表面１１ａ、１１ｃに対し略平行な両方向（図中、矢印Ｇ１と矢印Ｇ２にて示した）のうち他方向（図中、矢印Ｇ２。該一方向（図中、矢印Ｇ１）とは逆方向））の外縁１１ｂの一部によって形成されている。そして、第２盤面当接面１１ｐ２は、第２盤面当接面１１ｐ２が構成する平面に属する点を含み、これら平面に属する各点は本発明にいう第２の当接点（パチンコ台の盤面（図示せず）に当接する）を構成する。
【００１９】
切り欠き部２１が形成された部分の幅（長手方向（矢印Ｌ）に対し垂直かつ両主表面１１ａ、１１ｃに対し略平行な主表面１１ａ、１１ｃの寸法。即ち、ここでは図中、矢印Ｇ１、Ｇ２方向への主表面１１ａ、１１ｃの寸法である。例えば、図２中、矢印Ｊにて示す寸法。）が小さくなるよう、長手方向（矢印Ｌ）の先端側Ｌ２に位置する長手方向（矢印Ｌ）に沿った外縁１１ｂが切り取られている。この切り取りは、両主表面１１ａ、１１ｃに対し略垂直かつ長手方向（矢印Ｌ）に対し略平行な平面１２ａと、両主表面１１ａ、１１ｃに対し略垂直かつ長手方向（矢印Ｌ）に対し略垂直な平面１２ｂと、に沿って行われており、短冊状の除去部分１２が切除されている。
【００２０】
そして、主表面１１ａには、数字「３」を示す表示１５が刻印されているが、これは後述するように、軸部当接面を構成する第１軸部面２５ａ及び第２軸部面２５ｂが長手方向（矢印Ｌ）に対しなす角度を表示したものであり、本発明にいう前記所定の角度を間接的に表示（直角９０度から前記所定の角度を減じた数字）するものである。なお、図１及び図２においては数字「３」が逆に表示されている。
【００２１】
次いで、軸部当接面を構成する第１軸部面２５ａ及び第２軸部面２５ｂについて詳述する。図５は、第１軸部面２５ａ、第２軸部面２５ｂ、第１盤面当接面１１ｐ１及び第２盤面当接面１１ｐ２の付近を拡大した拡大正面図（見る方向は図１及び図２と同じ）である。図５を参照して、第１軸部面２５ａ及び第２軸部面２５ｂについて説明する。なお、図５においては、図示及び理解を容易にするため、第１軸部面２５ａ及び第２軸部面２５ｂが長手方向（矢印Ｌ）に対しなす角度（図５中、角度Ｄ１、Ｄ２）を実際よりも大きく示している。
上述したように、第１盤面当接面１１ｐ１と第２盤面当接面１１ｐ２とは、同一の一平面（図５中、点線ＳＰにて示した）にほぼ属するよう構成されており、平面に沿ったパチンコ台の盤面（図示しないが、例えば、点線ＳＰに沿ったものが考えられる。）に両面１１ｐ１、１１ｐ２を同時にうまく当接させることができる。そして、第１盤面当接面１１ｐ１が構成する平面に属する点は第１の当接点（パチンコ台の盤面（図示せず）に当接する）を構成するので、例えば、第１盤面当接面１１ｐ１の中心部分の点を第１の当接点の一つとして第１点Ｑ１とする。同様に、第２盤面当接面１１ｐ２が構成する平面に属する点は第２の当接点（パチンコ台の盤面（図示せず）に当接する）を構成するので、例えば、第２盤面当接面１１ｐ２の中心部分の点を第２の当接点の一つとして第２点Ｑ２とする。すると、第１の当接点たる第１点Ｑ１と第２の当接点たる第２点Ｑ２とを結ぶ線分は、図５中では線分Ｒとして示されるので、線分Ｒを含む基準直線は図５中では点線Ｔとして示される（図５中においては、第１盤面当接面１１ｐ１と第２盤面当接面１１ｐ２とが同時に当接する一平面を示す点線ＳＰと、点線Ｔと、は重なって示される。即ち、第１の当接点たる第１点Ｑ１と第２の当接点たる第２点Ｑ２とを結ぶ線分Ｒと、線分Ｒを含む基準直線（点線Ｔ）と、は、第１盤面当接面１１ｐ１と第２盤面当接面１１ｐ２とが同時に当接する一平面（点線ＳＰ）に略属している。）。また、ここでは線分Ｒと、基準直線（点線Ｔ）と、第１盤面当接面１１ｐ１と第２盤面当接面１１ｐ２とが同時に当接する一平面（点線ＳＰ）と、はいずれも長手方向（矢印Ｌ）に対して略垂直になっている。
そして、軸部当接面たる第１軸部面２５ａが、点線Ｔにより示される基準直線に対してなす角度は角度Ｋ１である。同様に、軸部当接面たる第２軸部面２５ｂが、点線Ｔにより示される基準直線に対してなす角度は角度Ｋ２である。実際には、角度Ｋ１＝角度Ｋ２＝８７度にされている。また、第１軸部面２５ａ及び第２軸部面２５ｂが長手方向（矢印Ｌ）に対しなす角度はそれぞれ角度Ｄ１及び角度Ｄ２であり、ここでは角度Ｄ１＝角度Ｄ２＝３度である。前述した表示１５の数字「３」は角度Ｄ１と角度Ｄ２とが３度であることを示しており、Ｋ１＋Ｄ１＝Ｋ２＋Ｄ２＝９０度であることから、直角９０度から所定の角度（角度Ｋ１＝角度Ｋ２＝８７度）を減じた数字を表示することで、所定の角度（角度Ｋ１＝角度Ｋ２＝８７度）を間接的に表示している。このように直角９０度から所定の角度（角度Ｋ１＝角度Ｋ２＝８７度）を減じた数字を表示することで、第１盤面当接面１１ｐ１と第２盤面当接面１１ｐ２とが当接するパチンコ台の盤面（図示せず。例えば、図５中、点線ＳＰの面）に対し垂直な方向（図５中、点線Ｗ１と点線Ｗ２とにより示したが、これらは長手方向（矢印Ｌ）に対して略平行である。）に対する第１軸部面２５ａ及び第２軸部面２５ｂの角度を直接認識することができるので、パチンコ台の盤面に対する釘の角度が感覚的に把握しやすい。
また、軸部当接面を構成する第１軸部面２５ａ及び第２軸部面２５ｂの両面２５ａ、２５ｂのうちいずれか一方をいずれか他方に平行になるように形成してもよい。
【００２２】
本ゲージ１１の使用方法について簡単に説明しておく。図６は、本ゲージ１１の使用方法を説明する図（本ゲージ１１については図２と同じ部分を示している。）である。
本ゲージ１１の基端側Ｌ１近傍を手（図示せず）で把持し、本ゲージ１１の第１盤面当接面１１ｐ１及び第２盤面当接面１１ｐ２をパチンコ台２０１の盤面２０３に当接させる。パチンコ台２０１の盤面２０３には、図示しないパチンコ玉を案内したりはじいたりするための釘２０５が固定されると共に、図示しないパチンコ玉を案内するための案内部材２０７（例えば、いわゆる風車等）が取り付けられている。釘２０５は、一端側が盤面２０３に打ち込まれ固定された軸部２０５ｂ（直線に沿って真っ直ぐ）と、軸部２０５ｂの他端側に軸部２０５ｂと一体に形成されたかさ状の頭部２０５ａと、を有している。図６に示した状態は、第１盤面当接面１１ｐ１及び第２盤面当接面１１ｐ２が盤面２０３に当接し、切り欠き部２１の軸部収容部２５が釘２０５の軸部２０５ｂを収容し、切り欠き部２１の頭部収容部２３が釘２０５の頭部２０５ａを収容している。
釘２０５の軸部２０５ｂが、軸部収容部２５を規定する第１軸部面２５ａに当接しており（図６では、図示を容易にするため、軸部２０５ｂと第１軸部面２５ａとを離して図示している。）、軸部２０５ｂが第１軸部面２５ａにうまく沿っているかどうかを目視にて確認することができる。図６では、軸部２０５ｂが第１軸部面２５ａにほぼ沿っているので、パチンコ台２０１の盤面２０３に対する釘２０５（軸部２０５ｂ）の角度（図６中、角度Ｙ）が、ほぼ８７度（基準直線に対する前記所定の角度。図５中の角度Ｋ１＝角度Ｋ２＝８７度）であることがわかる。なお、盤面２０３に対する釘２０５（軸部２０５ｂ）の角度（図６中、角度Ｙ）をほぼ８７度としたい場合、軸部２０５ｂが第１軸部面２５ａにほぼ沿っていないときは、工具等によって盤面２０３に対する釘２０５（軸部２０５ｂ）の角度を調節して軸部２０５ｂが第１軸部面２５ａにほぼ沿うようにすればよい。また、短冊状の除去部分１２により、釘２０５に隣接する案内部材２０７に本ゲージ１１が衝突（干渉）することなく、本ゲージ１１を用いて盤面２０３に対する釘２０５（軸部２０５ｂ）の角度（図６中、角度Ｙ）を測定することができる。なお、ここでは軸部２０５ｂを第１軸部面２５ａに当接させたが、これと同様に軸部２０５ｂを第２軸部面２５ｂに当接させ、盤面２０３に対する釘２０５（軸部２０５ｂ）の角度を測定することもできる。
【００２３】
図７は、複数の本ゲージによって形成されたパチンコ釘角度測定ゲージ組（本ゲージ組）４０１を示す図である。図７を参照して、本ゲージ組４０１について説明する。
本ゲージ組４０１には、３の本ゲージ１１１、１１、２１１が重合された状態で含まれており、これら３の本ゲージ１１１、１１、２１１は、軸部当接面たる第１軸部面２５ａ及び第２軸部面２５ｂが基準直線に対してなす角度Ｋ１、Ｋ２が異なることを除き、形状及び大きさがほぼ同じである（本ゲージ１１１、２１１は、角度Ｋ１、Ｋ２が本ゲージ１１と異なるのみで基本構成は本ゲージ１１と同様である。）。具体的には、本ゲージ１１は前述したように角度Ｋ１＝角度Ｋ２＝８７度であり、本ゲージ１１１は角度Ｋ１＝角度Ｋ２＝８８度であり、本ゲージ２１１は角度Ｋ１＝角度Ｋ２＝８６度である。このため直角９０度から所定の角度（角度Ｋ１＝角度Ｋ２）を減じた数字を表示する表示１５は、本ゲージ１１では「３」（９０−８７）であり、本ゲージ１１１では「２」（９０−８８）であり、本ゲージ２１１では「４」（９０−８６）である。
３の本ゲージ１１１、１１、２１１はほぼ同じ大きさ及び形状で板状部材により形成されており、これら本ゲージ１１１、１１、２１１を形成する板状部材の主表面が互いに面するように重ね合わされ（重合）、重ね合わされた本ゲージ１１１、１１、２１１のボルト穴１１ｈにボルト４２１を嵌入し、ボルト４２１にナット４２３を螺合させている。これによって、重合された３の本ゲージ１１１、１１、２１１が、ボルト４２１の軸を中心に互いに回動可能（回動方向を図７中、矢印Ｎにて示した。）になっている。
盤面２０３に対する釘２０５（軸部２０５ｂ）の好ましい角度に応じ、本ゲージ組４０１を構成する本ゲージ１１１、１１、２１１から適した本ゲージを選択して用いることができ便利である。本ゲージ組４０１を使用しないときは３の本ゲージ１１１、１１、２１１が重なるようにすれば小型になり、使用する際には所望の本ゲージが使用可能（切り欠き部２１、第１盤面当接面１１ｐ１及び第２盤面当接面１１ｐ２が突出する状態）になるよう回動させ使用し、使用後は再び３の本ゲージ１１１、１１、２１１が重なるように回動させることができるので持ち運び等に極めて便利である。
【００２４】
以上のように、本ゲージ１１は、パチンコ台２０１の盤面２０３に対する釘２０５の角度（図６中、角度Ｙ）を測定するパチンコ釘角度測定ゲージであって、板状部材の外縁１１ｂから連続して内方に向かって切り欠かれた切り欠き部２１と、切り欠き部２１の一方側（図中、矢印Ｇ１）の該外縁１１ｂの少なくとも一部によって形成され盤面２０３に当接する第１の当接点たる第１点Ｑ１を含む第１盤面当接部たる第１盤面当接面１１ｐ１と、切り欠き部２１の他方側（図中、矢印Ｇ２）の該外縁１１ｂの少なくとも一部によって形成され盤面２０３に当接する第２の当接点たる第２点Ｑ２を含む第２盤面当接部たる第２盤面当接面１１ｐ２と、を備えてなり、第１盤面当接部（第１盤面当接面１１ｐ１）と第２盤面当接部（第２盤面当接面１１ｐ２）とを盤面２０３に当接させた際、盤面２０３から突出した釘２０５の軸部２０５ｂが当接可能な軸部当接面たる第１軸部面２５ａ及び第２軸部面２５ｂであって、第１の当接点（第１点Ｑ１）と第２の当接点（第２点Ｑ２）とを結ぶ線分Ｒを含む基準直線（図５中、点線Ｔ）に対して所定の角度（ここでは角度Ｋ１＝角度Ｋ２＝８７度）をなす軸部当接面（第１軸部面２５ａ、第２軸部面２５ｂ）を切り欠き部２１が有するものである、パチンコ釘角度測定ゲージである。
【００２５】
本ゲージ１１は、第１盤面当接部（第１盤面当接面１１ｐ１）と第２盤面当接部（第２盤面当接面１１ｐ２）とを盤面２０３に当接させ、釘２０５の軸部２０５ｂを軸部当接面（第１軸部面２５ａ、第２軸部面２５ｂ）に当接させた際、釘２０５の頭部２０５ａを収容する頭部収容部２３を切り欠き部２１が有するものである。
本ゲージ１１においては、前記基準直線（図５中、点線Ｔ）に垂直な平面（例えば、図５中、点線ＰＺにて示す平面）により２に分割される両空間それぞれに軸部当接面が形成されるものである（該両空間の一方に第１軸部面２５ａが形成され、該両空間の他方に第２軸部面２５ｂが形成される）。
本ゲージ１１においては、本ゲージ１１を形成する前記板状部材が、長手方向（矢印Ｌ）を有する略短冊形状であり、切り欠き部２１と第１盤面当接部（第１盤面当接面１１ｐ１）と第２盤面当接部（第２盤面当接面１１ｐ２）とが該長手方向の先端側Ｌ２に形成されると共に、測定者が手で把持する把持部（ここでは除去部分１２よりも基端側Ｌ１方向に存する部分（特に主表面１１ａ、１１ｃ）が該当する）が該長手方向（矢印Ｌ）の基端側Ｌ２に形成され、切り欠き部２１が形成された部分の幅（例えば、図２中、矢印Ｊにより示された寸法）が、把持部の幅（除去部分１２よりも基端側Ｌ１方向に存する部分の幅）よりも小さい。具体的には、ここでは切り欠き部２１が形成された部分の幅が、把持部の幅よりも小さくなるように、前記先端側Ｌ２に位置する前記長手方向（矢印Ｌ）に沿った外縁１１ｂが切り取られたものである（除去部分１２が切り取られている。）。
本ゲージ１１においては、前記所定の角度（ここでは角度Ｋ１＝角度Ｋ２＝８７度）が間接的に表示されたものである。具体的には、前記所定の角度（ここでは角度Ｋ１＝角度Ｋ２＝８７度）に関連する数字、ここでは直角９０度から前記所定の角度（ここでは角度Ｋ１＝角度Ｋ２＝８７度）を減じた数字「３」を表示１５により表示している。
【００２６】
本ゲージ組４０１は、複数（ここでは３）の本ゲージ１１１、１１、２１１が重合されてなり、複数（ここでは３）の本ゲージ１１１、１１、２１１各々の前記所定の角度（角度Ｋ１、Ｋ２）がそれぞれ異なるものである、パチンコ釘角度測定ゲージ組である。具体的には、本ゲージ１１は前述したように角度Ｋ１＝角度Ｋ２＝８７度であり、本ゲージ１１１は角度Ｋ１＝角度Ｋ２＝８８度であり、本ゲージ２１１は角度Ｋ１＝角度Ｋ２＝８６度である。
本ゲージ組４０１においては、重合された複数（ここでは３）の本ゲージ１１１、１１、２１１が、所定の回動軸（ここではボルト４２１の軸）を中心に互いに回動可能なものである。
【００２７】
前記した特許文献１のパチンコ釘角度測定ゲージは、円形周面２に分度目盛３を表示した分度盤１を用いるため、目視可能なように分度目盛３を設ける必要があり、ある程度よりも小さくすることはできない。即ち、分度盤１の厚みを薄くすればその厚み方向には寸法を小さくすることができるが、分度盤１の両主表面に沿った方向には寸法をある程度以上小さくすることはできない（少なくとも目視可能に分度目盛３が設けられることが必要である。）。このため狭い場所に存する釘（例えば、パチンコ台の盤面に固定された釘の近傍に他のもの（他の釘やパチンコ玉を案内する案内部材等）が存在するような場合）の角度を測定しようとすると、特許文献１のパチンコ釘角度測定ゲージは不便なことがあった。
これに対し、本ゲージ１１は、このような制約もなく、釘のみならず様々なものが密集して設けられるパチンコ台２０１の盤面２０３における釘２０５の角度測定には極めて有用である。
【図面の簡単な説明】
【００２８】
【図１】本発明のパチンコ釘角度測定ゲージ（本ゲージ）を示す正面図である。
【図２】図１の円Ａ中の拡大図である。
【図３】本ゲージの底面図である。
【図４】図２のＣ−Ｃ断面図である。
【図５】第１軸部面、第２軸部面、第１盤面当接面及び第２盤面当接面の付近を拡大した拡大正面図である。
【図６】本ゲージの使用方法を説明する図である。
【図７】本ゲージ組を示す図である。
【符号の説明】
【００２９】
１１、１１１、２１１  本ゲージ
１１ａ、１１ｃ        主表面
１１ｂ                外縁
１１ｈ                ボルト穴
１１ｐ１              第１盤面当接面
１１ｐ２              第２盤面当接面
１２                  除去部分
１２ａ、１２ｂ        平面
１５                  表示
２１                  切り欠き部
２３                  頭部収容部
２３ａ                第１頭部面
２３ｂ                第２頭部面
２３ｃ                第３頭部面
２３ｄ                第４頭部面
２３ｅ                第５頭部面
２５                  軸部収容部
２５ａ                第１軸部面
２５ｂ                第２軸部面
２０１                  パチンコ台
２０３                  盤面
２０５                  釘
２０５ａ                頭部
２０５ｂ                軸部
２０７                  案内部材
４０１                  本ゲージ組
４２１                  ボルト
４２３                  ナット
【図１】
2007215876.tif 000003
【図２】
2007215876.tif 000004
【図３】
2007215876.tif 000005
【図４】
2007215876.tif 000006
【図５】
2007215876.tif 000007
【図６】
2007215876.tif 000008
【図７】
2007215876.tif 000009